(57)【要約】【課題】透視部を設けた胴部の内周面を簡単な操作で拭き取り、内容物の残量を正しく認識できるように構成した内容物取出し手段付き容器を提供する。【解決手段】下面開口の筒状の胴部８から口頸部１６を起立した容器本体４と、この容器本体４に対して、その下面の開口部１２を密に閉塞するように回転可能に取り付けられた回転底２０と、前記容器本体４に収容された内容物の取出し手段７０とからなる、内容物取出し手段付き容器である。前記胴部８の少なくとも周方向の一部に透視部１４を設けるとともに、前記回転底２０の周方向の一部から、胴部８の内周面と接する拭き取り部５６を有する少なくとも一つの摺接突部４４が起立され、胴部８に対する回転底２０の回転により、前記透視部１４の形成箇所を含む内周面部分を前記拭き取り部５６で拭き取ることが可能に形成した。【選択図】図１
2018002240.tif 000002
【特許請求の範囲】
【請求項１】
下面開口の筒状の胴部(８)から口頸部(１６)を起立した容器本体(４)と、
この容器本体(４)に対して、その下面の開口部(１２)を密に閉塞するように回転可能に取り付けられた回転底(２０)と、
前記容器本体(４)に収容された内容物の取出し手段(７０)と、
からなる内容物取出し手段付き容器であって、
前記胴部(８)の周方向の少なくとも一部に透視部(１４)を設けるとともに、
前記回転底(２０)の周方向の一部から、胴部(８)の内周面と接する拭き取り部(５６)を有する少なくとも一つの摺接突部(４４)が起立され、
胴部(８)に対する回転底(２０)の回転により、前記透視部(１４)の形成箇所を含む内周面部分を前記拭き取り部(５６)で拭き取ることが可能に形成したことを特徴とする、内容物取出し手段付き容器。
【請求項２】
複数の摺接突部(４４)が前記回転底(２０)の外周(Ｐ)の周方向の２か所以上から相互に離して起立されていることを特徴とする、請求項１に記載の内容物取出し手段付き容器。
【請求項３】
前記複数の摺接突部(４４)の各上端部を連結する補強リング(６０)を形成したことを特徴とする、請求項２に記載の内容物取出し手段付き容器。
【請求項４】
前記摺接突部(４４)は、前記回転底(２０)の外周(Ｐ)に周方向に並設された一対の剛性柱部(４６)と、これら剛性柱部(４６)の間に挟持された柔軟中間材(５０)とで形成され、この柔軟中間材(５０)が拭き取り部(５６)を有することを特徴とする内容物取出し手段付き容器。
【請求項５】
前記容器体(２)の口頸部(１６)に内容物取出し手段としての吐出器(７０)を装着してなる請求項１から請求項４のいずれかに記載の内容物取出し手段付き容器。
【発明の詳細な説明】
【技術分野】
【０００１】
本発明は、内容物取出し手段付き容器に関する。なお、内容物取出し手段とは、吐出器、スポイト、塗布具（マスカラ塗布具など）を含むものとする。
【背景技術】
【０００２】
容器体の口頸部に吐出器を装着し、この吐出器の操作により容器体内の内容物（液体など）を吸い上げ、吐出するようにした内容物取出し手段付き容器において、容器体の胴部の一部に覗き窓などの透視部を設け、透視部を介して容器体内の内容物の残量を確認できるようにしたものが知られている（特許文献１図４参照）。
【先行技術文献】
【特許文献】
【０００３】
【特許文献１】特開２００２−３６２６５９
【発明の概要】
【発明が解決しようとする課題】
【０００４】
前記従来の内容物取出し手段付き容器では、内容物が容器体の内面に付着した場合などに、内容物の量が正しく認識できなくなるおそれがあった。これにより、詰め替え用の容器体や新規の容器を購入するタイミングを逃してしまう問題があった。
【０００５】
本発明の目的は、透視部を設けた胴部の内周面を簡単な操作で拭き取り、内容物の残量を正しく認識できるように構成した内容物取出し手段付き容器を提供することである。
【課題を解決するための手段】
【０００６】
第１の手段は、
下面開口の筒状の胴部８から口頸部１６を起立した容器本体４と、
この容器本体４に対して、その下面の開口部１２を密に閉塞するように回転可能に取り付けられた回転底２０と、
前記容器本体４に収容された内容物の取出し手段７０と、
からなる内容物取出し手段付き容器であって、
前記胴部８の周方向の少なくとも一部に透視部１４を設けるとともに、
前記回転底２０の周方向の一部から、胴部８の内周面と接する拭き取り部５６を有する少なくとも一つの摺接突部４４が起立され、
胴部８に対する回転底２０の回転により、前記透視部１４の形成箇所を含む内周面部分を前記拭き取り部５６で拭き取ることが可能に形成している。
【０００７】
本手段は、透視部１４を少なくとも一部に有する胴部８の内周面を拭き取るための拭き取り部５６を、回転底の外周部の一部から起立した摺接突部４４に設けることを提案している。これにより胴部８に対する回転底２０の回転操作により胴部８の内周面を適切に拭き取り、透視部１４を介して胴部８の内容物の残量を適切に確認できる。本発明の構成は内容物の粘性が高い場合や付着性を有する場合に特に有効である。
「摺接突部」は、少なくとも一本設ければよい。
「透視部」は、例えば透視窓とすることができるが、これに限らず内容物の確認に適した適当な形状であれば足りる。例えば胴部に一部分が透明な転写やラベルを貼り付けることで、透視部を形成しても構わないし、胴部縦方向に亘って、長く透視部を形成するビジブルラインのような形状でも構わない。
「胴部８の周方向の少なくとも一部」とあるのは、胴部を含む容器体全体が透視可能な構成を含むものとする。
【０００８】
第２の手段は、第１の手段を有し、かつ
複数の摺接突部４４が前記回転底２０の外周Ｐの周方向の２か所以上から相互に離して起立されている。
【０００９】
本手段では、本願図３に示すように前記回転底２０の外周Ｐの周方向の２箇所以上から複数の摺接突部４４が起立している。これにより胴部８の内周面全体を拭くのに必要な回転底２０の回転量を小さくすることができる。
【００１０】
第３の手段は、第２の手段を有し、かつ
前記複数の摺接突部４４の各上端部を連結する補強リング６０を形成している。
【００１１】
本手段では、図７及び図８に示すように複数の摺接突部４４の各上端部を連結する補強リング６０を形成している。これにより摺接突部４４の強度が高まり、かつ動きが安定する。
【００１２】
第４の手段は、第１の手段から第３の手段のいずれかを有し、かつ
前記摺接突部４４は、前記回転底２０の外周Ｐに周方向に並設された一対の剛性柱部４６と、
これら剛性柱部４６の間に挟持された柔軟中間材５０とで形成され、この柔軟中間材５０が拭き取り部５６を有する。
【００１３】
本手段では、例えば図２及び図３に示すように、前記摺接突部４４を、一対の剛性柱部４６と両剛性柱部の間に挟持される柔軟中間材５０とで形成している。この柔軟中間材５０に前述の拭き取り部５６を設けている。この構成により、拭き取り部５６を摺接突部４４の構成に確実に組み込むことができるとともに、胴部８内周面への拭き取り部５６のフィット性が高まる。
【００１４】
第５の手段は、第１の手段から第４の手段のいずれかを有し、かつ前記容器体２の口頸部１６に内容物取出し手段としての吐出器７０を装着してなる。
【００１５】
本手段は、前記内容物取出し手段付き容器において内容物取出し手段としての吐出器を組み込んだ態様としている。
【発明の効果】
【００１６】
第１の手段又は第５の手段に係る発明によれば、胴部８に対する回転底２０の回転により、回転底２０の周方向の一部から起立された摺接突部４４の拭き取り部５６で胴部８の内周面を拭き取ることができるから、透視部１４からの液位の透視を確実に行うことができる。
第２の手段に係る発明によれば、複数の摺接突部４４が回転底の周方向の２か所以上からそれぞれ起立されているから、透視部１４を拭き取るために必要な回転底２０の回転の程度を小さくできる。
第３の手段に係る発明によれば、複数の摺接突部４４の各上端部を連結する補強リング６０を形成したから、摺接突部４４の剛性が向上する。
第４の手段に係る発明によれば、摺接突部４４は、一対の剛性柱部４６の間に柔軟中間材５０を挟持させたから、摺接突部４４全体としての剛性を確保することができ、前記柔軟中間材５０が拭き取り部５６を有するから、胴部８内周面に適切にフィットすることができる。
【図面の簡単な説明】
【００１７】
【図１】本発明の第１実施形態に係る内容物取出し手段付き容器の縦断面図である。
【図２】図１の容器のＩＩ−ＩＩ方向の横断面図である。
【図３】図１の容器の主要部材の正面図である。
【図４】図３の主要部材の平面図である。
【図５】図３の主要部材の側面図である。
【図６】図１の容器の作用説明図であり、同図（Ａ）は回転底の操作を始める前の横断面形状を、また同図（Ｂ）は回転底の操作を始めた後の横断面形状をそれぞれ示している。
【図７】本発明の第２実施形態に係る内容物取出し手段付き容器の縦断面図である。
【図８】図７の内容物取出し手段付き容器の主要部材の正面図である。
【図９】図８の主要部材の平面図である。
【発明を実施するための最良の形態】
【００１８】
図１から図６は、本発明の第１実施形態に係る内容物取出し手段付き容器（吐出容器）を示している。
この吐出容器は、容器体２と吐出器７０とオーバーキャップ８４とで構成されている。これら各部材や、例えば合成樹脂材や金属で形成することができる。
【００１９】
容器体２は、容器本体４と回転底２０と装着部材６４とを有する。
【００２０】
前記容器本体４は、下端に開口部１２を有する円筒状の胴部８を有し、この胴部８の上端部から肩部６を介して口頸部１６を起立している。
前記胴部８は、その一部を外部から容器体２内部を透視可能な透視部１４とするとともに、残りの部分を透視不可能に形成している。図示の胴部８は、透明な周壁の表面に透視部１４を形成する箇所を除いてコーティング１０を施している。これらの構成は適宜変更することができる。例えば従来公知のビジブルライン（周壁の一部の光線透過率を隣接部分より高くし、この一部を縦方向に長く形成した構造）とすることができる。
図示の透視部１４は、胴部の下部から上部に亘って縦長の覗き窓に形成している。しかしながら、透視部１４の形状も適宜変更することができる。また透視部１４に目盛などを形成してもよい。
また好適な図示例では、胴部８の下端部を小外径部８ａに形成している。また前記肩部６の下面からは環状でありかつ前記胴部８と同心状の案内筒部６ａを垂下している。
本実施例は、透明な周壁の表面に透視部を除いてコーティングを施した容器体として、説明を行ったが、コーティングに代えて、透視部として一部分を透明に形成した転写箔やシュリンクラベルによって覆われた容器体を用いることもできる。
また、前述した通り、胴部を含む容器全体が透視可能に形成された透明な容器体であっても良い。
【００２１】
前記回転底２０は、前記容器本体４に対してその開口部１２を密に閉塞するように回転自在に取り付けられ、かつ回転底２０の外周Ｐの周方向の一部から容器本体４内へ摺接突部４４を起立してなる。
本実施形態の回転底２０は、操作部材２２と底本体２８とで構成されている。
【００２２】
前記操作部材２２は、容器体の胴部下面に回転可能に取り付けられた操作部であり、かつ回転操作による回転力を底本体２８に伝達する機能を有する。これらの機能を果たす限り、操作部材２２の構造は適宜変更することができる。
本実施形態の操作部材２２は、円板状の端板２４の外周部から外周壁２６Ａを、内周部から内周壁２６Ｂをそれぞれ２重筒状に起立してなる。そして前記外周壁２６Ａを前記胴部８の小外径部８ａに回転自在に嵌合している。外周壁２６Ａの内面と小外径部８ａの外面との一方には、抜止め用の係止リブ２７を、他方には係止リブと嵌合する嵌合溝をそれぞれ形成することが望ましい。また前記外周壁２６Ａの外面は滑り止め面Ｎに形成している。
底本体２８は、操作部材２２と連動して回転可能に胴部８内に取り付けられており、かつ前述の摺接突部４４を有する。
【００２３】
本実施形態の底本体２８は、図３に示す如く、底板３０の外周端から起立周壁３６を起立するとともに、底板の中心部を有底の陥没筒部３２に形成している。
この陥没筒部３２の外面には複数の当接リブ３４が付設されている。陥没筒部３２は前記内周壁２６Ｂ内に挿入されている。この挿入の際に前記当接リブ３４は、内周壁２６Ｂ内面に圧接され、操作部材２２の回転により底本体２８の回転することが可能に形成されている。
図示例では、前記中心部を除く底板部分が中心側へ下がる傾斜面に形成されており、内容液が残り少なくなったときに液体が前記陥没筒部３２の内部へ集まる集液機能を果たすように設けている。
前記起立周壁３６の外周面には環状溝３８が周設されており、この環状溝３８内にＯリング４０が嵌合されている。起立周壁３６は、胴部８の下部内に挿入され、かつ前記Ｏリング４０が胴部８の下部内周面に密にかつ摺動自在に当接されている。
【００２４】
前記起立周壁３６の上端からは、前記肩部６側へ長く延びる摺接突部４４を起立している。この摺接突部４４は、上端側に係合端部４４ａを有している。この係合端部４４ａは、前記案内筒部６ａの外面に摺動可能に当接している。
前記摺接突部４４は、その長手方向の少なくとも一部、図示例では長手方向全長に亘って形成された拭き取り部５６を有し、胴部８に対して回転底２０を回転させたときに、胴部８の内周面を拭き取るようにしている。
このとき摺接突部４４の係合端部４４ａが案内筒部６ａにより案内されているので、胴部８内周面に対する拭き取り部５６の触れ具合が均一になる。従って胴部８の内周面全体を均等に拭き取ることができる。
摺接突部４４は、図２に示す如く、回転底の外周Ｐの少なくとも一箇所に設ければよいが、好ましくは等角的に複数（図示例では２個）の摺接突部４４を設けることができる。
【００２５】
好適な一実施形態として、前記摺接突部４４は、図４に示す如く、一対の剛性柱部４６の間に柔軟中間材５０を挟持させてなるものとすることができる。
前記剛性柱部４６は、図５に示す如く、回転底の周方向に一定間隔を存して並設された柱状の部位であり、前記柔軟中間材５０を周方向にずれないように支えている。また図示例では各剛性柱部４６の上端に前記係合端部４４ａを付設している。
前記柔軟中間材５０は、例えばエラストマーなどの柔らかい材料で形成された長尺部材である。一対の剛性柱部４６に挟持された柔軟中間材の外端面には、横断面凸状の拭き取り部５６が縦設されている。これにより、胴部８の上下方向ほぼ全長に亘って胴部８の内周面に十分な圧接力を以てフィットするように設けられている。
前記柔軟中間材５０と剛性柱部４６との当接面の一方には、係合凹部５２を、他方には、係合凹部に嵌着する係合凸部４８をそれぞれ形成している（図２参照）。これにより、剛性柱部４６からの柔軟中間材５０の抜け出しを防止できる。
前記一対の剛性柱部４６に挟持された柔軟中間材５０の内端面には、その長手方向全長に亘る切割り溝５４を縦設している。これにより、剛性柱部４６の間への柔軟中間材５０の嵌め込みを容易にしている。
【００２６】
装着部材６４は、前記口頸部１６の外面に下半部を嵌合（図示例では螺合）された装着筒部６６を有する。この装着筒部６６の中間部からは内向きフランジ６７が内方突出されている。また装着筒部６６の上端からは、外下方へ把持筒部６８が垂設されている。前記装着筒部６６の上半部は、後述の吐出ヘッド８０のガイド筒を兼ねている。
【００２７】
吐出器７０は、従来公知のものであり、前記容器体２の口頸部１６に装着されたポンプシリンダ７２を有する。ポンプシリンダ７２の上端に鍔部７４が付設されており、この鍔部をパッキンとともに、前記口頸部１６と装着部材６４の内向きフランジ６７との間に挟持させて、ポンプシリンダ７２を容器体内に垂設されている。
ポンプシリンダ７２の下端からは吸い上げ管７３を垂下しており、この吸い上げ管７３の下端部は前記陥没筒部３２内に挿入されている。
前記ポンプシリンダ７２内には、ステム７６に設けられた筒状ピストン（図示せず）が上方付勢状態で昇降自在に嵌合されており、前記ステム７６の上端には吐出ヘッド８０が付設されている。
そしてポンプシリンダ７２に対して吐出ヘッド８０を昇降させると、容器体２内の液体を第１逆止弁を介してポンプシリンダ７２内へ吸込み、かつポンプシリンダ７２内の液体を第２逆止弁を介して吐出ヘッド８０のノズル８２より外方へ吐出するように構成されている。
なお本実施例では、吐出器をポンプシリンダを有するポンプ（ディスペンサ）として説明したが、吐出器は内容物を吐出可能であれば、ポンプに限られない。また、吐出器以外の内容物取出し手段、例えば前述の塗布具（ハケやブラシなど）やスポイトを用いても構わない。
【００２８】
オーバーキャップ８４は、その下部を把持筒部６８の外面に嵌合させている。
【００２９】
前記構成において、容器体２の内容物が透視部１４の内面に付着して、内部が透視しにくくなったときには、胴部８を把持するとともに、胴部８に対して操作部材２２を回せばよい。
そうすると、図６（Ａ）の状態から摺接突部４４の拭き取り部５６が胴部８の内周面に沿って摺動し、内周面に付いた付着物Ｓを図６（Ｂ）に示すように拭き取る。
これにより、透視部１４を介して内部を適切に透視することができ、容器体内の液体の残量を確認できる。従って、詰め替え用の容器や新規容器を購入するタイミングを逃すことがない。
拭き取り部５６により胴部８内周面から拭き取られた内容物の塊はある程度の大きさになると、自重によって落下し、容器体２の底部に残っている液体に溶け込む。これにより、胴部８の内周面に付着した内容物を、吐出器７０により吐出することが可能となり、内容物の残量を減らすことが可能になる。
【００３０】
以下、本発明の他の実施形態を説明する。これらの説明において第１実施形態と同じ構成については解説を省略する。
【００３１】
図７から図９は、本発明の第２実施形態に係る吐出容器を示している。本実施形態は、回転底２０の操作部及び摺接突部４４の形状を変更したものである。
【００３２】
まず回転底２０は、第１実施形態における操作部材を省略し、本願にいう起立周壁３６の下端から脚筒部４２を垂下している。脚筒部４２の上半筒部４２ｂは下半筒部４２ａよりも小外径であり、この上半筒部４２ｂに胴部８の下端部を回転自在に嵌合している。胴部８の下端部内周面には、脚筒部抜止め用の係止リブ２７を設けている。脚筒部４２の下半筒部４２ａは、操作筒として把持し、胴部８に対して回転底２０を回転させることができる。この構成により、第１実施形態に比べて部材数を少なくすることができる。
【００３３】
また本実施形態では、複数（図示例では２個）の摺接突部４４の各上端部を連結する補強リング６０を設けている。
これにより、摺接突部４４全体の強度が向上し、例えば胴部８に組み付ける前の図８の状態で図示の部材が他物に当たって摺接突部４４が折れることを防止できる。
また胴部８内に組み付けられた状態においては、相互に連結された摺接突部４４全体で胴部８内周面との摩擦力に対抗できるから、一本の摺接突部４４に過剰な力が作用してダメージを与えることを防止できる。
なお、本発明の技術的範囲は、前記の実施形態に限定されるものではなく、本発明の趣旨を逸脱しない範囲において、種々の変更を加えることができる。
【符号の説明】
【００３４】
２…容器体  ４…容器本体  ６…肩部  ６ａ…案内筒部  ８…胴部  ８ａ…小外径部
１０…コーティング  １２…開口部  １４…透視部  １６…口頸部
２０…回転底  ２２…操作部材  ２４…端板  ２６Ａ…外周壁  ２６Ｂ…内周壁
２７…係止リブ
２８…底本体  ３０…底板  ３２…陥没筒部  ３４…当接リブ  ３６…起立周壁
３８…環状溝  ４０…Ｏリング  ４２…脚筒部  ４２ａ…下半筒部  ４２ｂ…上半筒部
４４…摺接突部  ４４ａ…係合端部  ４６…剛性柱部  ４８…係合凸部
５０…柔軟中間材  ５２…係合凹部  ５４…切割り溝  ５６…拭き取り部
６０…補強リング
６４…装着部材  ６６…装着筒部  ６７…  内向きフランジ  ６８…把持筒部
７０…吐出器（内容物取出し手段）  ７２…ポンプシリンダ  ７３…吸い上げ管
７４…鍔部  ７６…ステム
８０…吐出ヘッド  ８２…ノズル  ８４…オーバーキャップ
Ｎ…滑り止め面  Ｐ…外周  Ｓ…付着物
【図１】
2018002240.tif 000003
【図２】
2018002240.tif 000004
【図３】
2018002240.tif 000005
【図４】
2018002240.tif 000006
【図５】
2018002240.tif 000007
【図６】
2018002240.tif 000008
【図７】
2018002240.tif 000009
【図８】
2018002240.tif 000010
【図９】
2018002240.tif 000011